(57)【特許請求の範囲】
【請求項１】
表面側デッキボード、裏面側デッキボード及び表面側デッキボードと裏面側デッキボードとを連結する筒状桁を有し、筒状桁の間にフォーク挿入孔が形成された合成樹脂製パレットに於いて、表面側デッキボードの周辺に外方に突出した表面側突出部が形成されるとともに裏面側デッキボードの周辺に外方に突出した裏面側突出部が形成され、且つ隅部の各筒状桁の外面においてその角部から内側に入った位置で外方に表面側突出部と裏面側突出部とを連結する垂直リブが形成されていることを特徴とする合成樹脂製パレット。
【請求項２】
表面側デッキボード、裏面側デッキボード、表面側デッキボードと裏面側デッキボードとを連結する隅部に形成された隅部の筒状桁、一方の側縁の中間部に形成された中間部の筒状桁、他方の側縁の中間部に形成された中間部の筒状桁及び中央部に形成された中央部の筒状桁を有し、筒状桁の間にフォーク挿入孔が形成された合成樹脂製パレットに於いて、表面側デッキボードの周辺に外方に突出した表面側突出部が形成されるとともに裏面側デッキボードの周辺に外方に突出した裏面側突出部が形成され、且つ隅部の各筒状桁の外面においてその角部から内側に入った位置で外方に表面側突出部と裏面側突出部とを連結する垂直リブが形成されていることを特徴とする合成樹脂製パレット。
【発明の詳細な説明】
【０００１】
【産業上の利用分野】
本発明は、種々の物品を運搬する際に使用する合成樹脂製パレットに関する。
【０００２】
【従来の技術】
種々の物品を運搬する際に表面側デッキボード、裏面側デッキボード及び表面側デッキボードと裏面側デッキボードとを連結する筒状桁を有し、筒状桁の間にフォーク挿入孔が形成された合成樹脂製パレットが使用されている。このような合成樹脂製パレットに於いて、側面を床に接触させて垂直に立てた際に、安定に立てたり、側面に施した印刷面が床に接触して汚染されることを防止する為に表面側デッキボードの周辺に外方に突出した表面側突出部を形成するとともに裏面側デッキボードの周辺に外方に突出した裏面側突出部を形成することが行われている。
【０００３】
しかしながら、表面側突出部及び裏面側突出部を形成した合成樹脂製パレットは、図１０に示すように搬送コンベアー上で移動させる際に表面側突出部及び裏面側突出部が隣接した合成樹脂製パレットの表面側突出部及び裏面側突出部に乗り上げることにより、合成樹脂製パレットが傾き、合成樹脂製パレット上に物品を載せる際に障害となった。
【０００４】
また、表面側突出部及び裏面側突出部を形成した合成樹脂製パレットは、物品を載せて複数個の合成樹脂製パレットを並べた際に、表面側突出部及び裏面側突出部が隣接した合成樹脂製パレットの表面側突出部及び裏面側突出部によって乗り上げられることにより、フォークリフトのフォークで合成樹脂製パレットを持ち上げて移動させることが困難となった。
【０００５】
【発明が解決しようとする課題】
本発明者は、表面側突出部及び裏面側突出部を形成した合成樹脂製パレットを搬送コンベアー上で移動させる際に表面側突出部及び裏面側突出部が隣接した合成樹脂製パレットの表面側突出部及び裏面側突出部に乗り上げ、物品を載せる際に障害となることを防止することを目的として研究を進めた結果、本発明に到達した。
【０００６】
更に、本発明者は、表面側突出部及び裏面側突出部を形成した複数個の合成樹脂製パレットに物品を載せて並べた際に、表面側突出部及び裏面側突出部が隣接した合成樹脂製パレットの表面側突出部及び裏面側突出部によって乗り上げられることにより、フォークリフトのフォークで合成樹脂製パレットを持ち上げて移動させることが困難となることを防止することを目的として研究を進めた結果、本発明に到達した。
【０００７】
【課題を解決するための手段】
本発明は、表面側デッキボード、裏面側デッキボード及び表面側デッキボードと裏面側デッキボードとを連結する筒状桁を有し、筒状桁の間にフォーク挿入孔が形成された合成樹脂製パレットに於いて、表面側デッキボードの周辺に外方に突出した表面側突出部が形成されるとともに裏面側デッキボードの周辺に外方に突出した裏面側突出部が形成され、且つ隅部の各筒状桁の外面においてその角部から内側に入った位置で外方に表面側突出部と裏面側突出部とを連結する垂直リブが形成されていることを特徴とする合成樹脂製パレットに関する。
【０００８】
また、本発明は、表面側デッキボード、裏面側デッキボード、表面側デッキボードと裏面側デッキボードとを連結する隅部に形成された隅部の筒状桁、一方の側縁の中間部に形成された中間部の筒状桁、他方の側縁の中間部に形成された中間部の筒状桁及び中央部に形成された中央部の筒状桁を有し、筒状桁の間にフォーク挿入孔が形成された合成樹脂製パレットに於いて、表面側デッキボードの周辺に外方に突出した表面側突出部が形成されるとともに裏面側デッキボードの周辺に外方に突出した裏面側突出部が形成され、且つ隅部の各筒状桁の外面においてその角部から内側に入った位置で外方に表面側突出部と裏面側突出部とを連結する垂直リブが形成されていることを特徴とする合成樹脂製パレットに関する。
【０００９】
【実施例】
以下、図面に従って本発明を説明する。
図１は本発明に係わる合成樹脂製パレットの一例を示す平面図、図２は図１に示した合成樹脂製パレットの底面図、図３は図１に示した合成樹脂製パレットの正面図、図４は図１に示した合成樹脂製パレットの右側面図、図５は図１に於けるＡ−Ａ線に沿った断面図、図６は図１に於けるＢ−Ｂ線に沿った断面図、図７は図３に於けるＣ−Ｃ線に沿った断面図、図８は図１に示した合成樹脂製パレットの隅部の部分斜視図、図９は本発明に係わる合成樹脂製パレットを搬送コンベアー上で移動させている状態を示す側面図及び図１０は従来の合成樹脂製パレットを搬送コンベアー上で移動させている状態を示す側面図である。
【００１０】
本発明に係わる合成樹脂製パレットは、ポリエチレン、ポリプロピレン、ＡＢＳ樹脂等の合成樹脂によって形成され、表面側デッキボード１と、裏面側デッキボード２とを有している。表面側デッキボード１と、裏面側デッキボード２とは、隅部に形成された隅部の筒状桁３、一方の側縁の中間部に形成された中間部の筒状桁４、他方の側縁の中間部に形成された中間部の筒状桁５及び中央部に形成された中央部の筒状桁６とによって連結されている。これらの筒状桁３、筒状桁４、筒状桁５及び筒状桁６の間には、一方の側縁に沿って延びたフォーク挿入孔７及び他方の側縁に沿って延びたフォーク挿入孔８が形成されている。
【００１１】
表面側デッキボード１の周辺には外方に突出した表面側突出部９が形成されるとともに裏面側デッキボード２の周辺には外方に突出した裏面側突出部１０が形成されている。表面側突出部９及び裏面側突出部１０は、通常合成樹脂製パレットの側面から３〜５ｍｍ突出させることが好ましい。
【００１２】
合成樹脂製パレットの各隅部の筒状桁の外面、即ちほぼ直角になっている２つの外側面において該筒状桁の外側の角部から内側に入った位置で外方に表面側突出部９と裏面側突出部１０とを連結する垂直リブ１１が形成されている。垂直リブ１１は、表面側突出部９及び裏面側突出部１０の幅と同じ長さで外方に突出し、且つ表面側突出部９と裏面側突出部１０とを上下に連結しており、隅部の筒状桁の上記角部から３０〜５０ｍｍ内側に入った位置に形成することが好ましい。かかる垂直リブは、表面突出部９と裏面突出部１０とを補強する効果もあり、隅部の筒状桁に各２本で合計８本が形成されるのが好ましいが、垂直リブの本数についてはもっと多くても差し支えなく、更に隅部の筒状桁間の中間部の筒状桁の各外面にも形成されていてもよい。
【００１３】
表面側デッキボード１に於いて、フォーク挿入孔７及びフォーク挿入孔８が交差する部分の上方には格子状リブ１２が形成されている。
表面側デッキボード１に於いて、一方の側縁に形成された中間部の筒状桁４とそれと対向する側縁に形成された中間部の筒状桁４との間には中央部の筒状桁６の上端を通って内側に開いたＵ字状桟１３が形成されている。
【００１４】
表面側デッキボード１に於いて、隅部の筒状桁３と中間部の筒状桁４との間には格子状リブ１４が形成され、該格子状リブ１４の下端に沿って丸い通孔１５を有する板状部１６が形成されている。
【００１５】
表面側デッキボード１に於いて、隅部の筒状桁３と中間部の筒状桁５との間には格子状リブ１７が形成されている。
表面側デッキボード１に於いて、中間部の筒状桁５と中央部の筒状桁６との間には内側に開いたＵ字状桟１８が形成されている。
【００１６】
表面側デッキボード１には、隅部の筒状桁３の上端に沿って内側に開いたＵ字状桟１９が形成され、中間部の筒状桁４の上端に沿って内側に開いたＵ字状桟２０が形成され、且つ中間部の筒状桁５の上端に沿って内側に開いたＵ字状桟２１が形成されている。
【００１７】
裏面側デッキボード２に於いて、フォーク挿入孔７及びフォーク挿入孔８が交差する部分の下方には大きな通孔２２が形成されている。
裏面側デッキボード２に於いて、隅部の筒状桁３と中間部の筒状桁４との間には中央部が隆起した板状部２３が形成され、該板状部２３の下面には格子状リブ２４が形成されている。
【００１８】
裏面側デッキボード２に於いて、隅部の筒状桁３と中間部の筒状桁５との間には中央部が隆起した板状部２５が形成され、該板状部２５の下面には格子状リブ２６が形成されている。
【００１９】
裏面側デッキボード２に於いて、中間部の筒状桁４と中央部の筒状桁６との間には表面側デッキボード１のＵ字状桟１３と上下に重なり合わない位置で桟２７が形成され、且つ中間部の筒状桁５と中央部の筒状桁６との間には表面側デッキボード１のＵ字状桟１８と上下に重なり合わない位置で桟２８が形成されている。
【００２０】
裏面側デッキボード２には、隅部の筒状桁３の下端に沿って表面側デッキボード１のＵ字状桟１９と上下に重なり合わない位置でＵ字状桟２９が形成され、中間部の筒状桁４の下端に沿って表面側デッキボード１のＵ字状桟２０と上下に重なり合わない位置で桟３０が形成され、中間部の筒状桁５の下端に沿って表面側デッキボード１のＵ字状桟２１と上下に重なり合わない位置で桟３１が形成され、且つ中央部の筒状桁の下端に沿って表面側デッキボード１のＵ字状桟１３と上下に重なり合わない位置で桟３２が形成されている。
【００２１】
図１乃至図８に示した合成樹脂製パレットは、表面側デッキボード１にのみ荷物を乗せることができる片面使用であり、且つフォークリフトのフォークを四方から差し込むことができる四方差しであるが、本発明は、片面使用二方差しパレット、両面使用二方差しパレット、両面使用四方差しパレットに適用することもできる。
【００２２】
【発明の効果】
本発明に係わる合成樹脂製パレットは、表面側デッキボード１の周辺に外方に突出した表面側突出部１０が形成されるとともに裏面側デッキボード２の周辺に外方に突出した裏面側突出部１０が形成されていることにより、側面を床に接触させて垂直に立てた際に、安定に立てることができるとともに側面に施した印刷面が床に接触して汚染されることを防止することができる。
【００２３】
更に、本発明に係わる合成樹脂製パレットは、搬送コンベアー上で移動させる際に、図８に示すように隅部の筒状桁の外面に於いてその角部から内側に入った位置に表面側突出部９と裏面側突出部１０とを連結する垂直リブ１１が形成されていることにより、表面側突出部９及び裏面側突出部１０が隣接した合成樹脂製パレットの表面側突出部９及び裏面側突出部１０に乗り上げて合成樹脂製パレットが傾き、合成樹脂製パレット上に物品を載せる際に障害となることを防止することができる。
【００２４】
更に、本発明に係わる合成樹脂製パレットは、隅部から内側に入った位置に表面側突出部９と裏面側突出部１０とを連結する垂直リブ１１が形成されていることにより、物品を載せて複数個の合成樹脂製パレットを並べた際に、表面側突出部１０及び裏面側突出部１１が隣接した合成樹脂製パレットの表面側突出部１０及び裏面側突出部１１によって乗り上げられることにより、フォークリフトのフォークで合成樹脂製パレットを持ち上げて移動させることが困難となることを防止することができる。
【図面の簡単な説明】
【図１】本発明に係わる合成樹脂製パレットの一例を示す平面図である。
【図２】図１に示した合成樹脂製パレットの底面図である。
【図３】図１に示した合成樹脂製パレットの正面図である。
【図４】図１に示した合成樹脂製パレットの右側面図である。
【図５】図１に於けるＡ−Ａ線に沿った断面図である。
【図６】図１に於けるＢ−Ｂ線に沿った断面図である。
【図７】図３に於けるＣ−Ｃ線に沿った断面図である。
【図８】図１に示した合成樹脂製パレットの隅部の部分斜視図である。
【図９】本発明に係わる合成樹脂製パレットを搬送コンベアー上で移動させている状態を示す側面図である。
【図１０】従来の合成樹脂製パレットを搬送コンベアー上で移動させている状態を示す側面図である。
【符号の説明】
１  表面側デッキボード
２  裏面側デッキボード
３  隅部の筒状桁
４  中間部の筒状桁
５  中間部の筒状桁
６  中央部の筒状桁
７  フォーク挿入孔
８  フォーク挿入孔
９  表面側突出部
１０  裏面側突出部
１１  垂直リブ
【図１】
0003574878.tif 000002
【図２】
0003574878.tif 000003
【図３】
0003574878.tif 000004
【図４】
0003574878.tif 000005
【図５】
0003574878.tif 000006
【図６】
0003574878.tif 000007
【図７】
0003574878.tif 000008
【図８】
0003574878.tif 000009
【図９】
0003574878.tif 000010
【図１０】
0003574878.tif 000011